(57)【特許請求の範囲】
【請求項１】
第１の数の加熱素子を備える流体吐出チップであって、前記加熱素子は、いくつかのプリミティブグループを形成するように、第２の数の加熱素子の複数のグループに分割され、前記第１の数の加熱素子のうちの１つまたは複数は、印刷動作の１つまたは複数のアドレスサイクルの各々の間に同時に点火される流体吐出チップと、
電気インターフェースと、を備え、
前記電気インターフェースは、
前記１つまたは複数のアドレスサイクルの各々に対応するそれぞれのプリミティブアドレスデータおよびヒータアドレスデータを受信するための１つまたは複数の入力であって、前記１つまたは複数の入力のうちの少なくとも１つは停止状態へと切り替え可能である１つまたは複数の入力と、
１つまたは複数のシフトレジスタであって、総数のシフトレジスタが、前記１つまたは複数のシフトレジスタの各々が前記停止状態にない前記１つまたは複数の入力のそれぞれに対応するように調整可能であり、前記１つまたは複数のシフトレジスタは、流体が画像データに従って前記流体吐出チップから吐出されるように前記加熱素子に対する電気信号の選択的印加を可能にするために、前記停止状態にない前記１つまたは複数の入力からそれぞれの前記プリミティブアドレスデータおよび前記ヒータアドレスデータを受信する１つまたは複数のシフトレジスタと、
前記１つまたは複数の入力のうちの前記少なくとも１つを前記停止状態へと切り替えるための１つまたは複数のヒューズ回路と、を有し、
デフォルトでは前記１つまたは複数の入力の全てが使用され、
前記１つまたは複数のシフトレジスタのうちの特定のシフトレジスタに対応する特定の入力に対応する前記ヒューズ回路が飛んだ際には、当該特定の入力が前記停止状態へと切り替えられ、前記停止状態にない他の入力に対応する他のシフトレジスタからの前記プリミティブアドレスデータおよび前記ヒータアドレスデータが、当該他のシフトレジスタに隣接する前記特定のシフトレジスタに入力される
プリントヘッド。
【請求項２】
前記１つまたは複数の入力のうちの前記少なくとも１つは、入力データストリームに従って停止状態へと切り替えられる
請求項１に記載のプリントヘッド。
【請求項３】
各シフトレジスタ内の総ビット数は、（アドレスサイクルあたりの前記１つまたは複数の加熱素子のうちの最大数を同時にアドレス指定するために必要とされる総ビット数）／（総入力数）により決定される
請求項１に記載のプリントヘッド。
【請求項４】
ハウジングと、
前記ハウジング内に配置されているシャフトに沿って往復動するキャリッジと、
１つまたは複数のプリントヘッドアセンブリであって、前記キャリッジが制御機構に従って前記シャフトに沿って往復動するときに、前記１つまたは複数のプリントヘッドアセンブリが印刷媒体上へとインクを吐出するように、前記キャリッジ上に配置されている１つまたは複数のプリントヘッドアセンブリと、を備え、
前記１つまたは複数のプリントヘッドアセンブリのうちの少なくとも１つは、プリントヘッドを備え、
前記プリントヘッドは、
第１の数の加熱素子を備える流体吐出チップであって、前記加熱素子は、いくつかのプリミティブグループを形成するように、第２の数の加熱素子の複数のグループに分割され、前記第１の数の加熱素子のうちの１つまたは複数は、印刷動作の１つまたは複数のアドレスサイクルの各々の間に同時に点火される流体吐出チップと、
電気インターフェースと、を有し、
前記電気インターフェースは、
前記１つまたは複数のアドレスサイクルの各々に対応するそれぞれのプリミティブアドレスデータおよびヒータアドレスデータを受信するための１つまたは複数の入力であって、前記１つまたは複数の入力のうちの少なくとも１つは停止状態へと切り替え可能である１つまたは複数の入力と、
１つまたは複数のシフトレジスタであって、総数のシフトレジスタが、前記１つまたは複数のシフトレジスタの各々が前記停止状態にない前記１つまたは複数の入力のそれぞれに対応するように調整可能であり、前記１つまたは複数のシフトレジスタは、流体が画像データに従って前記流体吐出チップから吐出されるように前記加熱素子に対する電気信号の選択的印加を可能にするために、前記停止状態にない前記１つまたは複数の入力からそれぞれの前記プリミティブアドレスデータおよび前記ヒータアドレスデータを受信する１つまたは複数のシフトレジスタと、
前記１つまたは複数の入力のうちの前記少なくとも１つを前記停止状態へと切り替えるための１つまたは複数のヒューズ回路と、を有し、
デフォルトでは前記１つまたは複数の入力の全てが使用され、
前記１つまたは複数のシフトレジスタのうちの特定のシフトレジスタに対応する特定の入力に対応する前記ヒューズ回路が飛んだ際には、当該特定の入力が前記停止状態へと切り替えられ、前記停止状態にない他の入力に対応する他のシフトレジスタからの前記プリミティブアドレスデータおよび前記ヒータアドレスデータが、当該他のシフトレジスタに隣接する前記特定のシフトレジスタに入力される
インクジェットプリンタ。
【請求項５】
前記１つまたは複数の入力のうちの前記少なくとも１つは、入力データストリームに従って停止状態へと切り替えられる
請求項４に記載のインクジェットプリンタ。
【請求項６】
各シフトレジスタ内の総ビット数は、（アドレスサイクルあたりの前記１つまたは複数の加熱素子のうちの最大数を同時にアドレス指定するために必要とされる総ビット数）／（総入力数）により決定される
請求項４に記載のインクジェットプリンタ。
【発明の詳細な説明】
【技術分野】
【０００１】
本発明は、インクジェットプリントヘッドに関し、特に、インクジェットプリントヘッドを制御するためのシステムおよび方法に関する。
【背景技術】
【０００２】
インクジェットヒータチップのための構成可能アーキテクチャを開発することによって、その設計の複数の応用形態が可能になるとともに、相手先商標製品製造業者（ＯＥＭ）供給元にとっての機会を増やすことが可能になる。チップの基本的な仕様の１つは、必要とされるデータ入力パッドの数、および、シリアルデータがチップにクロッキングされる速度である。これらの設計変数は反比例する。すなわち、入力の数を低減するには、同じ量のデータを転送するためにクロック速度を増大させる必要がある。
【０００３】
プリンタコストを最小限に抑えることが設計目標である消費者プリンタ用途においては、リボンケーブルに沿った印刷エンジンからパッシブキャリアカードへの従来のシリアル通信方法を使用することが有利である。リボンケーブル自体の抵抗的および容量的特性が、データが確実に送信され得る速度を制限する。この事例については、より遅いクロック速度でより多くの入力をサポートすることが、最適な設計点であり得る。
【０００４】
大判プロッタのような特定のＯＥＭ用途においては、必要な印刷速度を達成するために、複数のプリントヘッドが互い違いの構成で使用され得る。このタイプのシステムについて、性能が主要な設計目標となり得、プロッタコストは二の次になる。この事例においては、データは、印刷エンジンから、複数のヘッドを駆動することが可能なローカルデジタルＡＳＩＣを有するキャリアカードへと転送され得る。この構成について、ケーブル距離は最小限に抑えられ、そのため、ローカルＡＳＩＣによって必要とされる出力の数を低減しながら、データレートを増大させることが望ましい。過去のヒータチップ設計において、クロック速度および入力の数は固定されている。
【発明の概要】
【発明が解決しようとする課題】
【０００５】
本発明の目的は、入力およびデータレートの構成可能な組み合わせを可能にするプリントヘッド回路および方法を提供することである。
【０００６】
本発明のもう１つの目的は、クロック速度およびＩ／Ｏパッドの数がユーザによって選択可能であるインクジェットヒータチップアーキテクチャを提供することである。これによって、単一の設計によって複数の用途および市場の需要に適合することが可能である。
【課題を解決するための手段】
【０００７】
本発明の典型的な実施形態によるプリントヘッドは、第１の数の加熱素子を備える流体吐出チップであって、加熱素子は、いくつかのプリミティブグループを形成するように、第２の数の加熱素子の複数のグループに分割され、第１の数の加熱素子のうちの１つまたは複数は、印刷動作の１つまたは複数のアドレスサイクルの各々の間に同時に点火される流体吐出チップと、電気インターフェースと、を備え、電気インターフェースは、１つまたは複数のアドレスサイクルの各々に対応するそれぞれのプリミティブアドレスデータおよびヒータアドレスデータを受信するための１つまたは複数の入力であって、１つまたは複数の入力のうちの少なくとも１つは停止状態へと切り替え可能である１つまたは複数の入力と、１つまたは複数のシフトレジスタであって、総数のシフトレジスタが、１つまたは複数のシフトレジスタの各々が停止状態にない１つまたは複数の入力のそれぞれに対応するように調整可能であり、１つまたは複数のシフトレジスタは、流体が画像データに従って流体吐出チップから吐出されるように加熱素子に対する電気信号の選択的印加を可能にするために、停止状態にない１つまたは複数の入力からそれぞれのプリミティブアドレスデータおよびヒータアドレスデータを受信する１つまたは複数のシフトレジスタと、を有する。
【０００８】
典型的な実施形態において、プリントヘッドは、１つまたは複数の入力のうちの少なくとも１つを停止状態へと切り替えるための１つまたは複数のヒューズ回路をさらに備える。
【０００９】
典型的な実施形態において、１つまたは複数の入力のうちの少なくとも１つは、入力データストリームに従って停止状態へと切り替えられる。
【００１０】
典型的な実施形態において、各シフトレジスタ内の総ビット数は、以下、すなわち、（アドレスサイクルあたりの１つまたは複数の加熱素子のうちの最大数を同時にアドレス指定するために必要とされる総ビット数）／（総入力数）のように決定される。
【００１１】
本発明の典型的な実施形態によるインクジェットプリンタは、ハウジングと、ハウジング内に配置されているシャフトに沿って往復動するように適合されているキャリッジと、１つまたは複数のプリントヘッドアセンブリであって、キャリッジが制御機構に従ってシャフトに沿って往復動するときに、１つまたは複数のプリントヘッドアセンブリが印刷媒体上へとインクを吐出するように、キャリッジ上に配置されている１つまたは複数のプリントヘッドアセンブリと、を備え、１つまたは複数のプリントヘッドアセンブリのうちの少なくとも１つはプリントヘッドを備え、プリントヘッドは、第１の数の加熱素子を備える流体吐出チップであって、加熱素子は、いくつかのプリミティブグループを形成するように、第２の数の加熱素子の複数のグループに分割され、第１の数の加熱素子のうちの１つまたは複数は、印刷動作の１つまたは複数のアドレスサイクルの各々の間に同時に点火される流体吐出チップと、電気インターフェースと、を有し、電気インターフェースは、１つまたは複数のアドレスサイクルの各々に対応するそれぞれのプリミティブアドレスデータおよびヒータアドレスデータを受信するための１つまたは複数の入力であって、１つまたは複数の入力のうちの少なくとも１つは停止状態へと切り替え可能である１つまたは複数の入力と、１つまたは複数のシフトレジスタであって、総数のシフトレジスタが、１つまたは複数のシフトレジスタの各々が停止状態にない１つまたは複数の入力のそれぞれに対応するように調整可能であり、１つまたは複数のシフトレジスタは、流体が画像データに従って流体吐出チップから吐出されるように加熱素子に対する電気信号の選択的印加を可能にするために、停止状態にない１つまたは複数の入力からそれぞれのプリミティブアドレスデータおよびヒータアドレスデータを受信する１つまたは複数のシフトレジスタと、を有する。
【００１２】
本発明の実施形態のその他の特徴および利点は、以下の詳細な説明、添付図面および付属の特許請求の範囲から容易に明らかになる。
【発明の効果】
【００１３】
本発明によるプリントヘッドは、入力およびデータレートの構成可能な組み合わせを可能にするプリントヘッド回路および方法を提供することができる。
【００１４】
本発明の典型的な実施形態の特徴および利点は、添付図面と照らし合わせながら以下の詳細な説明を参照することで、さらに完全に理解される。
【図面の簡単な説明】
【００１５】
【図１】従来のインクジェットプリントヘッドの斜視図である。
【図２】従来のインクジェットプリンタの斜視図である。
【図３】従来のインクジェットプリントヘッドのブロック図である。
【図４】本発明の典型的な実施形態によるインクジェットプリントヘッドのブロック図である。
【図５】本発明の別の典型的な実施形態によるインクジェットプリントヘッドのブロック図である。
【発明を実施するための形態】
【００１６】
本明細書で使用する見出し項目は、構成上の目的しかなく、本明細書または請求項の範囲を限定するために使用するものではない。本出願全体で使用する「してもよい」および「できる」という言葉は、強制（つまり「ねばならぬ」）の意味ではなく、許容（つまり「可能性がある」）の意味で使用している。同様に、「含む」および「含んでいる」という言葉は、何かを含むが限定的ではないことを意味する。理解しやすいように、可能な場合は、諸図に共通する類似の要素を表すのに類似の番号を付与している。
【００１７】
図１を参照すると、本発明のインクジェットプリントヘッドが全体的に１０として示されている。プリントヘッド１０は、インクを保持するための、任意の適切な材料から形成されているハウジング１２を有する。その形状は変化してもよく、プリントヘッドを保持または収容する外部デバイスに依存することが多い。ハウジングは、初回のまたは詰め替え可能なインク供給を保持するための、内部にある少なくとも１つのコンパートメント１６を有する。一実施形態において、コンパートメントは、単一のチャンバを有し、ブラックインク、フォトインク、シアンインク、マゼンタインクまたはイエローインクのインク供給を保持する。他の実施形態において、コンパートメントは複数のチャンバを有し、３つのインク供給を収容する。好ましくは、コンパートメントは、シアンインク、マゼンタインクおよびイエローインクを含む。また他の実施形態において、コンパートメントは、ブラックインク、フォトインク、シアンインク、マゼンタインクまたはイエローインクのうちの複数種を収容している。しかしながら、コンパートメント１６はプリントヘッドのハウジング１２内で局所的に一体化されているものとして示されているが、コンパートメントは代替的に、遠隔したインク供給源に接続し、たとえば、管からインク供給を受けてもよいことが理解される。
【００１８】
ハウジング１２の１つの表面１８には、可撓性回路、特に、テープ自動接合（ＴＡＢ）回路２０の一部分１９が接着されている。ＴＡＢ回路２０の他の部分２１は、ハウジングの別の表面２２に接着されている。この実施形態において、２つの表面１８、２２は、ハウジングのエッジ２３を中心として互いに垂直に配置されている。
【００１９】
ＴＡＢ回路２０は、使用中にヒータチップ２５をプリンタ、ファックス機、コピー機、写真複写機、プロッタ、複合機などの外部デバイスに電気的に接続するための複数の入力／出力（Ｉ／Ｏ）コネクタ２４をその上に支持している。ＴＡＢ回路２０上には、Ｉ／Ｏコネクタ２４をヒータチップ２５の入力端子（接合パッド２８）に電気的に接続および短絡するため複数の導電体２６が存在する。そのような接続を容易にするための様々な技法が、当業者には知られている。単純にするために、図１は、８つのＩ／Ｏコネクタ２４、８つの導電体２６および８つの接合パッド２８のみを示しているが、今日のプリントヘッドは、はるかにより多くの量を有しており、本明細書においては任意の数が等しく包含される。またさらに、そのようなコネクタ、導体および接合パッドの数は互いに等しいが、実際のプリントヘッドは、等しくない数を有してもよいことを、当業者は理解すべきである。
【００２０】
ヒータチップ２５は、使用中にコンパートメント１６からインクを吐出する役割を担う複数の流体噴射素子のカラム３４を収容している。流体噴射素子は、シリコン基板上の薄膜層として形成される熱抵抗性ヒータ素子（略してヒータ）、または、ヒータチップという名称から導き出される熱技術の含意にかかわらず、圧電素子を具現化することができる。単純にするために、カラム３４を成す複数の流体噴射素子は、５つのドットから成る列としてインクビア３２に隣接して示されているが、実際には、数百または数千個の流体噴射素子を含んでもよい。下記に説明するように、流体噴射素子のうち、垂直方向に隣接するもの同士は、それらの間に側方に離間する間隙またはずれを有してもよく、または、有しなくてもよい。一般的に、流体噴射素子は、付随するプリンタのドット／インチ解像度に準拠する垂直ピッチ間隔を有する。いくつかの例は、ビアの長手方向範囲に沿った１／３００インチ、１／６００インチ、１／１２００インチ、１／２４００インチなどの間隔を含む。ビアを形成するために、ヒータチップの厚さを通じてビア３２を切るかまたはエッチングする多くの工程が知られている。より好ましい工程のいくつかは、グリットブラスティング、または、ウェットエッチング、ドライエッチング、反応性イオンエッチング、深掘反応性イオンエッチングなどのようなエッチングを含む。ノズルプレート（図示せず）が、使用中にインクを射出するために、そのオリフィスをヒータの各々と位置整合されている。ノズルプレートは、接着剤もしくはエポキシ樹脂と付着してもよく、または、薄膜層として作製されてもよい。
【００２１】
図２を参照すると、プリントヘッド１０を収容するためのインクジェットプリンタの形態の外部デバイスが、全体的に４０として示されている。プリンタ４０は、１つまたは複数のプリントヘッド１０を収容するための複数のスロット４４を有するキャリッジ４２を含む。キャリッジ４２は、当該技術分野においては周知のように、ドライブベルト５０に供給される推進力によって、シャフト４８に沿って（コントローラ５７の出力５９に従って）印刷ゾーン４６の上方で往復動する。キャリッジ４２の往復動は、プリンタ４０内で給紙トレイ５４から用紙搬送路に沿って印刷ゾーン４６を通過し排紙トレイ５６へと進行する用紙５２のような印刷媒体に相対して発生する。
【００２２】
印刷ゾーンでは、キャリッジ４２は、矢印で示すような進行方向において進行される用紙５２に対して概ね垂直な往復動方向において往復動する。そのようなときに、コンパートメント１６（図１）からのインク滴は、プリンタのマイクロプロセッサまたは他のコントローラ５７の指令に応じてヒータチップ２５から吐出されることになる。インク滴放出のタイミングは、印刷中の画像のピクセルパターンに対応する。多くの場合、そのようなパターンは、プリンタの外部にあり、限定ではないが、コンピュータ、スキャナ、カメラ、視覚的表示装置、携帯情報端末などを含む、コントローラ５７に（外部入力により）電気的に接続されているデバイスにおいて生成されるようになる。
【００２３】
インク一滴を印刷または放出するために、流体噴射素子（図１のカラム３４のドット）が少量の電流によって固有にアドレス指定されて、少量のインクを急速に加熱する。これによって、インクはヒータとノズルプレートとの間のローカルインクチャンバにおいて蒸発させられ、ノズルプレートを通じて印刷媒体へと吐出させられ、射出されるようにされる。そのようなインク滴を放出するのに必要な噴射パルスは、単一またはスプリット噴射パルスを具現化してもよく、接合パッド２８、導電体２６、Ｉ／Ｏコネクタ２４およびコントローラ５７間の接続から入力端子（たとえば接合パッド２８）のヒータチップにおいて受信される。入力端子からの噴射パルスは、内部ヒータチップ配線により、１個または多数の流体噴射素子へと搬送される。
【００２４】
ユーザ選択インターフェース６０を有するコントロールパネル５８も、コントローラ５７に対する入力６２として、プリンタの追加の性能および堅牢性をもたらすために多くのプリンタに付随する。
【００２５】
図３は、いくつかのプリミティブ３０５を含む一般的なプリントヘッドの図表示である。各プリミティブ３０５内には、Ａ１〜Ａｎの番号を付されているそれらの関連するアドレス線に結合されているいくつかのヒータ抵抗器２０９が位置している。Ａは、点火されるべきヒータ抵抗器のアドレスおよび位置を表し、ｎは、プリミティブ内のアドレス指定可能ヒータ抵抗器の数を表す整数である。アドレス指定可能ヒータ抵抗器は、電源回路１１０（一般的に駆動回路として参照される）によって生成される一連の電気パルスによって点火される。従来の設計においては、プリントヘッドが印刷媒体上にベタ一色／黒色画像（ブラックアウトモード）または垂直線を印刷することを必要とされるとき、各プリミティブ内のヒータ抵抗器は同時に点火される。
【００２６】
プリミティブは個々に、プリンタ内に位置する電源から連続的に電流を供給される。電気回路を完結させるために、グランド、またはコモン、リターン導体が、電流を電源に戻す。プリミティブ内の各ヒータ抵抗器は、電界効果トランジスタのような、それ自体の関連するスイッチ回路を有する。各スイッチ回路は、スイッチ回路と関連付けられるヒータ抵抗器が点火されることを可能にするために、スイッチ回路を起動して導電状態にするために、プリンタから信号を受信するアドレスパッドに接続されている。プリントヘッドが動作されるとき、プリンタは、特定のプリミティブについて一度に単一のヒータ抵抗器のみが通電されるように、アドレスを通じてサイクルする。しかしながら、複数のプリミティブが同時に点火され得る。最大印刷密度においては、すべてのプリミティブが同時に点火され得る（ただし、各プリミティブについて一度に単一のヒータ抵抗器のみが通電される）。１つのそのような実施形態において、各アドレス線が、プリントヘッド上のすべてのプリミティブに接続される。別の実施形態において、各アドレス線は、いくつかのプリミティブにのみ接続される。好ましい実施形態において、各プリミティブは、別個のプリミティブ選択線に接続される。
【００２７】
プリミティブ選択線の数は、プリミティブの数に対応する。特定のヒータ抵抗器が通電されると、その抵抗器と関連付けられるアドレスが起動されて、その特定の抵抗器と関連付けられるスイッチ回路が、スイッチ回路およびヒータ抵抗器を通じて流れることになる電流に対する低抵抗経路をもたらす導電状態におかれる。このとき、スイッチが導電している間に、特定のヒータ抵抗器を通電させるために、高電流点火パルスがプリミティブ選択線に印加される。点火後、アドレス線は、スイッチ回路を非導電状態におくために停止される。
【００２８】
特定のヒータチップ設計について、各ヒータは、アドレスウィンドウあたりの指定数のアドレスサイクルによって個々にアドレス指定可能であり、アドレスサイクルごとに２つの点火信号がある。同時に点火するヒータの総数がヒータプリミティブグループ分けの数を設定し、これによって、プリミティブあたりのヒータの数が設定される。ヒータの各々は、アドレスデータストリームすなわちＡＤＡＴＡの一部分として通常通りに送信される固有のアドレスを割り当てられる。
【００２９】
プリミティブグループ内のヒータの各々が固有のアドレスを受信することによって、プリミティブグループの各々に固有のアドレスを与えるための方法が規定されなければならない。これが、プリミティブデータストリームすなわちＰＤＡＴＡである。各アドレスサイクルについて、ＰＤＡＴＡストリームは、点火１タイムスライスおよび点火２タイムスライスについて、プリミティブ内の利用可能なヒータの任意の組み合わせを選択するのに十分な情報を含まなければならない。
【００３０】
図４は、本発明の典型的な実施形態による、全体的に参照符号１０００によって指定されるプリントヘッドチップのブロック図である。一例として、プリントヘッドチップは、ビアあたり１３４４個のヒータを有してもよく、アドレスサイクルは８つであり、各アドレスサイクル内に２つの点火信号がある。これによって、１３４４／（８＊２）＝８４において同時の点火の最大数が設定される。同時の点火の数がプリミティブあたりのヒータ数を設定するため、この例ではプリミティブあたり１３４４／８４＝１６個のヒータがあることになる。いずれかの点火タイムスライスにおいて８４個の利用可能なヒータのうちのいずれかを選択することを可能にするためには、８４＊２＝１６８ビットが、３．０８６μｓのアドレスサイクル時間中に転送される必要がある。これは、約５６ＭＨｚの転送速度に等しい。
【００３１】
以前のインクジェットプリンタ設計については、データ転送クロック周波数は、１０ＭＨｚから１８ＭＨｚの間であった。５６ＭＨｚにおいて作動することは、ＥＭＣとデータ完全性の両方の観点から見て問題がある。必要とされるクロック周波数を低減するための１つの選択肢は、ＰＤＡＴＡストリームの入力の数を増大させることである。
【００３２】
プリントヘッドチップ１０００について、ＰＤＡＴＡストリームは、ビア１０１０、１０２０ごとに４つの入力１０１２、１０１４、１０１６、１０１８および１０２２、１０２４、１０２６、１０２８へと分割され、各入力は、各々が４２ビットを構成するレジスタ１０１１、１０１３、１０１５、１０１７および１０２１、１０２３、１０２５、１０２７に接続されている（４２＊４＝１６８ビット）。これによって、チップに対する合計８つのＰＤＡＴＡ入力が必要とされるが、転送クロック周波数は約１４ＭＨｚに低減する。この構成は、より安価なデスクトッププリンタにとって最適であり得る。
【００３３】
図５は、プリントヘッドチップ１０００を示すが、この事例においては、ビア１０１０、１０２０の同じ側に沿った２つのＰＤＡＴＡレジスタ１０１１と１０１５、１０１３と１０１７、１０２１と１０２５、１０２３と１０２７が組み合わされて、より大きいＰＤＡＴＡレジスタを形成している。１つのレジスタになるように構成されると、８つの４２ビットＰＤＡＴＡレジスタは実効的に、４つの８４ビットＰＤＡＴＡレジスタとなる。この構成は、ＰＤＡＤＡ入力を４つしか必要としないが、転送クロック周波数を約２８ＭＨｚまで増大させる。この構成は、大判プロッタ用途にとってより適切であり得る。別の典型的な実施形態において、チップはまた、各々が５６ＭＨｚにおいて作動する２つのみのＰＤＡＴＡ入力を有するように構成することもできる。
【００３４】
デフォルトでは、チップはビアあたり４つすべてのＰＤＡＴＡ入力を使用する。レジスタあたりの入力の数を低減し、ビットを増大させる２つの方法を使用することができ、１つは持続的な方法で、１つは一時的な方法である。使用される入力の数を持続的に低減するために、ヒューズ回路を使用することができる。入力データストリームを介してアクセスされ得る２つのヒューズ回路を、入力の数を構成するために使用することができ、一方はインクビアあたり４つの入力／シフトレジスタから２つへと低減するためのものであり、第２のものはインクビアあたり２つの入力／シフトレジスタから１つへと低減するためのものである。ヒューズが飛ぶと、組み合わせ論理が連続的に、パッドからの入力データの代わりに、隣接するレジスタからの出力を入力として使用することを選択することができる。入力データストリーム中のビットもまた、入力の数を一時的に変化させるために使用することができるが、ヒューズ回路によって指定される構成が常に優先する。たとえば、第１のヒューズビットがすでに飛んでいる場合、チップは、入力データストリームにおいて何が送信されていようとも持続的に２つのみの入力を使用するが、入力データストリーム中で適切なビットを設定することによって、依然として一時的に１つの入力へと設定され得る。入力データストリームを使用するには、入力を構成するために各アドレスサイクルによって正確なビットを送信する必要があり得る。
【００３５】
本発明の具体的な実施形態を例示し説明してきたが、本発明の精神および範囲を逸脱することなく様々な他の変更および修正を行うことができることが当業者には明白であろう。それゆえ、別記の特許請求の範囲において、本発明の範囲内にあるすべてのそのような変更および修正を包含することが意図されている。
【符号の説明】
【００３６】
１０  プリントヘッド
１２  ハウジング
１６  コンパートメント
１８，２２  表面
１９，２１  部分
２０  ＴＡＢ回路
２３  エッジ
２４  Ｉ／Ｏコネクタ
２５  ヒータチップ
２６  導電体
２８  接合パッド
３２  インクビア
３４  カラム
４０  プリンタ
４２  キャリッジ
４４  スロット
４６  印刷ゾーン
４８  シャフト
５０  ドライブベルト
５２  用紙
５４  給紙トレイ
５６  排紙トレイ
５７  コントローラ
５８  コントロールパネル
５９  出力
６０  ユーザ選択インターフェース
６２  入力
１１０  電源回路
２０９  ヒータ抵抗器
３０５  プリミティブ
１０００  プリントヘッドチップ
１０１０  ビア
１０１１，１０１３，１０１５，１０１７，１０２１，１０２３，１０２５，１０２７  レジスタ
１０１２，１０１４，１０１６，１０１８，１０２２，１０２４，１０２６，１０２８  入力
【図１】
0006642569.tif 000002
【図２】
0006642569.tif 000003
【図３】
0006642569.tif 000004
【図４】
0006642569.tif 000005
【図５】
0006642569.tif 000006